(57)【要約】【課題】基礎点検口用部材を単一の部材で構成することによって、取り扱い易く、布基礎を構築する際の作業性のよい基礎点検口用部材を提供すること。【解決手段】基礎を構築する際に基礎と一体となるように設置される基礎点検口用部材１であって、外枠部２と、この外枠部２の内周に沿って形成された易破断部４を介して一体に設けられた隔壁部３とを備え、易破断部４を破断することによって、隔壁部３を外枠部２から分離し、分離した隔壁部３を外枠部２に嵌め込むことによって、外枠部２の開口で構成される点検口部の気密状態を維持するようにする。【選択図】図１
2019094757.tif 000002
【特許請求の範囲】
【請求項１】
基礎を構築する際に基礎と一体となるように設置される基礎点検口用部材であって、外枠部と、該外枠部の内側に嵌め込まれる隔壁部とを備え、該隔壁部を外枠部に嵌め込むことによって、外枠部の開口で構成される点検口部の気密状態を維持するようにするとともに、隔壁部の前面の両側端部に、隔壁部の前面側から後面側に向けて側面に平行な溝及び該溝に沿って溝の両側に挟持部を形成したことを特徴とする基礎点検口用部材。
【請求項２】
前記外枠部の内側面及び隔壁部の外側面に嵌合係止部を設けたことを特徴とする請求項１に記載の基礎点検口用部材。
【請求項３】
前記隔壁部の外周面の後面側をテーパ面で構成するとともに、該テーパ面の溝が開口する部位に膨出部を形成し、外枠部の外周面の後面側に、膨出部が嵌まり込む窪み部を形成したことを特徴とする請求項１又は２に記載の基礎点検口用部材。
【請求項４】
基礎を構築する際に基礎と一体となるように設置される基礎点検口用部材であって、外枠部と、該外枠部の内周に沿って形成された易破断部を介して一体に設けられた隔壁部とを備え、易破断部を破断することによって、隔壁部を外枠部から分離し、分離した隔壁部を外枠部に嵌め込むことによって、外枠部の開口で構成される点検口部の気密状態を維持するようにしたことを特徴とする基礎点検口用部材。
【請求項５】
前記隔壁部の前面側と背面側とを反転して外枠部に嵌め込むようにしたことを特徴とする請求項４に記載の基礎点検口用部材。
【請求項６】
前記外枠部の内周面及び隔壁部の外周面の少なくともいずれかをテーパ面で構成し、分離した隔壁部を外枠部に嵌め込むことによって、当該テーパ面が相手方の面に接触するようにしたことを特徴とする請求項４又は５に記載の基礎点検口用部材。
【請求項７】
前記外枠部の外周面に、打設した基礎コンクリートが入り込む凹部を形成したことを特徴とする請求項１、２、３、４、５又は６に記載の基礎点検口用部材。
【発明の詳細な説明】
【技術分野】
【０００１】
本発明は、建築物の用いられる基礎点検口用部材に関するものである。
【背景技術】
【０００２】
従来から、例えば、寒冷地の住宅では、保温性の向上のために、床下を気密構造にするようにしている。特にユニットバス等を用いた浴室の床下は、気密構造にして、冷気の侵入を遮断するようにしている。
【０００３】
ところで、床下を気密構造にする場合でも、床下の点検作業を行うために基礎に点検口を設ける必要があるが、この基礎点検口を気密構造とするための基礎点検口用部材が提案されている（例えば、特許文献１〜２参照。）。
【先行技術文献】
【特許文献】
【０００４】
【特許文献１】実用新案登録第３０７８３４５号公報
【特許文献２】特許第５２８１８１３号公報
【発明の概要】
【発明が解決しようとする課題】
【０００５】
ところで、上記従来の基礎点検口を気密構造とするための基礎点検口用部材１０１は、図１１に示すように、布基礎Ｆを構築する際に屋内側の布基礎Ｆと一体となるように設置される枠部材１０２と、この枠部材１０２の開口部に取り付けられる蓋部材１０３とで構成するようにされている。
【０００６】
そして、このように、従来の基礎点検口用部材１０１は、少なくとも、枠部材１０２及び蓋部材１０３という２つの部材で構成するようにしているため、気密性を確保するために枠部材１０２及び蓋部材１０３とを強く嵌合させる必要があり、蓋部材１０３の着脱が困難になって取り扱いにくいという問題があった。
【０００７】
本発明は、上記従来の基礎点検口用部材の有する問題点に鑑み、基礎点検口用部材を２つの部材で構成した場合に、気密性を確保しながら、取り扱い易い基礎点検口用部材を提供することを第１の目的とする。
【０００８】
また、本発明は、基礎点検口用部材を単一の部材で構成することによって、取り扱い易く、布基礎を構築する際の作業性のよい基礎点検口用部材を提供することを第２の目的とする。
【課題を解決するための手段】
【０００９】
上記第１の目的を達成するため、本第１発明の基礎点検口用部材は、基礎を構築する際に基礎と一体となるように設置される基礎点検口用部材であって、外枠部と、該外枠部の内側に嵌め込まれる隔壁部とを備え、該隔壁部を外枠部に嵌め込むことによって、外枠部の開口で構成される点検口部の気密状態を維持するようにするとともに、隔壁部の前面の両側端部に、隔壁部の前面側から後面側に向けて側面に平行な溝及び該溝に沿って溝の両側に挟持部を形成したことを特徴とする。
【００１０】
この場合において、前記外枠部の内側面及び隔壁部の外側面に嵌合係止部を設けることができる。
【００１１】
また、前記隔壁部の外周面の後面側をテーパ面で構成するとともに、該テーパ面の溝が開口する部位に膨出部を形成し、外枠部の外周面の後面側に、膨出部が嵌まり込む窪み部を形成することができる。
【００１２】
また、上記第２の目的を達成するため、本第２発明の基礎点検口用部材は、基礎を構築する際に基礎と一体となるように設置される基礎点検口用部材であって、外枠部と、該外枠部の内周に沿って形成された易破断部を介して一体に設けられた隔壁部とを備え、易破断部を破断することによって、隔壁部を外枠部から分離し、分離した隔壁部を外枠部に嵌め込むことによって、外枠部の開口で構成される点検口部の気密状態を維持するようにしたことを特徴とする。
【００１３】
この場合において、前記隔壁部の前面側と背面側とを反転して外枠部に嵌め込むようにすることができる。
【００１４】
また、前記外枠部の内周面及び隔壁部の外周面の少なくともいずれかをテーパ面で構成し、分離した隔壁部を外枠部に嵌め込むことによって、当該テーパ面が相手方の面に接触するようにすることができる。
【００１５】
また、前記外枠部の外周面に、打設した基礎コンクリートが入り込む凹部を形成するようにすることができる。
【発明の効果】
【００１６】
本第１発明の基礎点検口用部材は、基礎を構築する際に基礎と一体となるように設置される基礎点検口用部材を、外枠部と、該外枠部の内側に嵌め込まれる隔壁部とを備え、該隔壁部を外枠部に嵌め込むことによって、外枠部の開口で構成される点検口部の気密状態を維持するようにするとともに、隔壁部の前面の両側端部に、隔壁部の前面側から後面側に向けて側面に平行な溝及び該溝に沿って溝の両側に挟持部を形成することによって、基礎点検口用部材を２つの部材で構成した場合に、気密性を確保しながら、挟持部を持って隔壁部を変形させることで隔壁部の外枠部に対する嵌合状態を弛めることで、隔壁部の着脱を容易に行うことができ、取り扱い性を向上することができる。
【００１７】
また、前記外枠部の内側面及び隔壁部の外側面に嵌合係止部を設けることにより、隔壁部を外枠部に強固に固定することができるとともに、挟持部を持って隔壁部を変形させることで嵌合係止部の係止状態を解除することで、隔壁部の着脱を容易に行うことができる。
【００１８】
また、前記隔壁部の外周面の後面側をテーパ面で構成するとともに、該テーパ面の溝が開口する部位に膨出部を形成し、外枠部の外周面の後面側に、膨出部が嵌まり込む窪み部を形成することにより、隔壁部の着脱を容易に行うことができるようにしながら、テーパ面の溝が開口する部位の外枠部と隔壁部の隙間がラビリンス状となり、気密性を向上することができる。
【００１９】
本第２発明の基礎点検口用部材によれば、基礎を構築する際に基礎と一体となるように設置される基礎点検口用部材を、外枠部と、該外枠部の内周に沿って形成された易破断部を介して一体に設けられた隔壁部とを備えた単一の部材で構成することによって、取り扱い易く、布基礎を構築する際の作業性を向上することができる。
また、基礎点検口用部材は、設置した初期状態では、外枠部の開口で構成される点検口部が、易破断部を介して一体に設けられた隔壁部によって閉鎖されているため、基礎点検口用部材の前面側と背面側の気密状態は維持されている。
そして、床下の点検作業を行う場合は、基礎点検口用部材の易破断部を破断し、隔壁部を分離することによって、外枠部の開口で構成される点検口部を形成することで、基礎点検口用部材の背面側の床下、例えば、ユニットバス等を用いた浴室の床下での作業を行うことができるようにする。
さらに、床下の点検作業を行った後、分離した隔壁部を外枠部に嵌め込むことによって、外枠部の開口で構成される点検口部の気密状態、すなわち、基礎点検口用部材の前面側と背面側の気密状態を維持するようにすることができる。
【００２０】
また、前記隔壁部の前面側と背面側とを反転して外枠部に嵌め込むようにすることにより、前面側の外枠部の内周面と隔壁部の外周面の間の隙間、すなわち、易破断部に至る空間の大きさを、背面側の同隙間より大きく設定することができ、易破断部の破断作業を行い易くすることができる。
【００２１】
また、前記外枠部の内周面及び隔壁部の外周面の少なくともいずれかをテーパ面で構成し、分離した隔壁部を外枠部に嵌め込むことによって、当該テーパ面が相手方の面に接触するようにして、外枠部の開口で構成される点検口部の気密状態を確実に維持するようにすることができる。
【００２２】
また、前記外枠部の外周面に、打設した基礎コンクリートが入り込む凹部を形成するようにすることにより、基礎を構築する際に基礎点検口用部材の外枠部が基礎と確実に一体となるように設置することができる。
【図面の簡単な説明】
【００２３】
【図１】本発明の基礎点検口用部材の第１実施例を示し、（ａ）は正面図、（ｂ）は平面図、（ｃ）は右側面図である。
【図２】同基礎点検口用部材を示し、（ａ）は図１（ａ）のＡ−Ａ断面図、（ｂ）は図１（ａ）のＢ−Ｂ断面図である。
【図３】同基礎点検口用部材の分離した隔壁部を外枠部に嵌め込んだ状態を示し、（ａ）は図２（ａ）に対応する断面図、（ｂ）は図２（ｂ）に対応する断面図である。
【図４】本発明の基礎点検口用部材の第２実施例を示す全体斜視図である。
【図５】同基礎点検口用部材の外枠部を示し、（ａ）は平面図、（ｂ）は正面図、（ｃ）は底面図、（ｄ）は左側面図、（ｅ）は右側面図である。
【図６】同基礎点検口用部材の外枠部を示す背面図である。
【図７】同基礎点検口用部材の外枠部を示し、（ａ）は図５（ｂ）のＡ−Ａ断面図、（ｂ）は図５（ｂ）のＢ−Ｂ断面図である。
【図８】同基礎点検口用部材の隔壁部を示し、（ａ）は平面図、（ｂ）は正面図、（ｃ）は底面図、（ｄ）は左側面図、（ｅ）は右側面図である。
【図９】同基礎点検口用部材の隔壁部を示す背面図である。
【図１０】同基礎点検口用部材の隔壁部を示す外枠部を示す図８（ｂ）のＡ−Ａ断面図である。
【図１１】従来の基礎点検口用部材を示し、（ａ）は基礎点検口用部材を設置した状態の外観斜視図、（ｂ）は蓋部材を外した状態を示す正面断面図である。
【発明を実施するための形態】
【００２４】
以下、本発明の基礎点検口用部材の実施の形態を、図面に基づいて説明する。
【実施例１】
【００２５】
図１〜図３に、本発明の基礎点検口用部材の第１実施例を示す。
この基礎点検口用部材１は、特許文献１〜２に記載された従来の基礎点検口用部材と同様、基礎を構築する際に基礎と一体となるように、より具体的には、布基礎を構築する際に屋内側の布基礎と一体となるように設置されるもので、外枠部２と、この外枠部２の内周に沿って形成された易破断部４を介して一体に設けられた隔壁部３とを備え、易破断部４を破断することによって、隔壁部３を外枠部２から分離し、分離した隔壁部３を外枠部２に嵌め込むことによって、外枠部２の開口で構成される点検口部の気密状態を維持するようにしたものである。
【００２６】
この場合において、基礎点検口用部材１は、合成樹脂材料、好ましくは、断熱性及び若干の変形性を有する発泡樹脂材料を用いて一体成形することができる。
そして、易破断部４は、地震等の負荷を受けても破断しない程度の強度を備えるとともに、大きな押圧力等の負荷を受けることによって破断する薄肉部として構成するようにしている。
なお、易破断部４を破断する場合、必要に応じて、カッターやマイナスドライバを用いて易破断部４を切断するようにすることもできる。
【００２７】
そして、分離した隔壁部３を外枠部２に嵌め込む際に、隔壁部３の前面側と背面側とを反転させて外枠部２に嵌め込むようにすることができる。
これにより、前面側の外枠部２の内周面２１と隔壁部３の外周面３１の間の隙間４１、すなわち、易破断部に至る空間の大きさを、背面側の同隙間４２より大きく設定することができ、易破断部４の破断作業を行い易くすることができる。
なお、外枠部２の内周面２１及び隔壁部３の外周面３１の形状を、隔壁部３の前面側と背面側とを反転させずに外枠部２に嵌め込むことができる形状にすることもできる。
また、易破断部４の破断作業を行い易くするために、外枠部２の幅を、上下で異ならせている（本実施例においては、上部の幅を下部の幅より大きくなるようにしている。）。
【００２８】
また、外枠部２の内周面２１及び隔壁部３の外周面３１は、本実施例においては、平行面で構成するようにしているが、いずれか一方、好ましくは、両方をテーパ面で構成し、分離した隔壁部３を外枠部２に嵌め込むことによって、当該テーパ面が相手方の面に接触するようにすることができる。
このように接触面テーパ面で構成することにより、外枠部２の開口で構成される点検口部の気密状態を確実に維持するようにすることができる。また、基礎点検口用部材１の成形性も良好なものとなる。
【００２９】
また、外枠部２の外周面に、打設した基礎コンクリートが入り込む凹部２２を形成するようにすることにより、基礎を構築する際に基礎点検口用部材１の外枠部２が基礎と確実に一体となるように設置することができる。
【００３０】
この基礎点検口用部材１は、基礎を構築する際に基礎と一体となるように設置される基礎点検口用部材を、外枠部２と、この外枠部２の内周に沿って形成された易破断部４を介して一体に設けられた隔壁部３とを備えた単一の部材で構成することによって、取り扱い易く、布基礎を構築する際の作業性を向上することができる。
また、基礎点検口用部材１は、設置した初期状態では、外枠部２の開口で構成される点検口部が、易破断部４を介して一体に設けられた隔壁部３によって閉鎖されているため、基礎点検口用部材１の前面側と背面側の気密状態は維持されている。
そして、床下の点検作業を行う場合は、基礎点検口用部材１の易破断部４を破断し、隔壁部３を分離することによって、外枠部２の開口で構成される点検口部を形成することで、基礎点検口用部材１の背面側の床下、例えば、ユニットバス等を用いた浴室の床下での作業を行うことができるようにする。
さらに、床下の点検作業を行った後、分離した隔壁部３を外枠部２に嵌め込むこと、本実施例においては、分離した隔壁部３の前面側と背面側とを反転させて外枠部２に嵌め込むことによって、外枠部２の開口で構成される点検口部の気密状態、すなわち、基礎点検口用部材１の前面側と背面側の気密状態を維持するようにすることができる。
ここで、外枠部２の内周面２１及び隔壁部３の外周面３１のいずれか一方又は両方をテーパ面で構成した場合は、分離した隔壁部３を外枠部２に嵌め込む際に、隔壁部３の前面側と背面側とを反転させて、基礎点検口用部材１の背面側から前面側に向けて引っ張るようにすること（又は基礎点検口用部材１の前面側から背面側に向けて押圧すること）で、外枠部２に嵌め込むようにすることができる。
そして、再度床下の点検作業を行う場合は、外枠部２に嵌め込んだ隔壁部３を、基礎点検口用部材１の前面側から背面側に向けて押圧すること（又は基礎点検口用部材１の背面側から前面側に向けて引っ張るようにすること）で、隔壁部３を外枠部２と分離することによって、外枠部２の開口で構成される点検口部を形成することができる。
【実施例２】
【００３１】
図４〜図１０に、本発明の基礎点検口用部材の第２実施例を示す。
この基礎点検口用部材１は、特許文献１〜２に記載された従来の基礎点検口用部材と同様、基礎を構築する際に基礎と一体となるように、より具体的には、布基礎を構築する際に屋内側の布基礎と一体となるように設置されるもので、枠部材としての外枠部２と、この外枠部２の内側に嵌め込まれる、蓋部材としての隔壁部３との２つの部材を備え、この隔壁部３を外枠部２に嵌め込むことによって、外枠部２の開口で構成される点検口部の気密状態を維持するようにするとともに、隔壁部３の前面の両側端部に、隔壁部３の前面側から後面側に向けて側面に平行な溝３２及びこの溝３２に沿って溝３２の両側に挟持部３４ａ、３４ｂを形成するようにしたものである。
【００３２】
この場合において、基礎点検口用部材１を構成する外枠部２及び隔壁部３は、合成樹脂材料、好ましくは、断熱性及び若干の変形性を有する発泡樹脂材料を用いて成形することができる。
そして、隔壁部３に形成する溝３２は、挟持部３４ａ、３４ｂを持って挟持力を加えることによって隔壁部３の外側部分を内側に向けて変形させることで隔壁部３の外枠部２に対する嵌合状態を弛めることができるように、一定の深さ、例えば、隔壁部３の厚みの５０〜９５％、好ましくは、７０〜９０％程度（本実施例においては、８０％程度（厚み１５０ｍｍの隔壁部３において１２０ｍｍの深さ））に形成するようにしている。
これにより、基礎点検口用部材１を２つの部材で構成した場合に、気密性を確保しながら、挟持部３４ａ、３４ｂを持って隔壁部３を変形させることで隔壁部３の外枠部２に対する嵌合状態を弛めることで、隔壁部３の着脱を容易に行うことができ、取り扱い性を向上することができる。
【００３３】
外枠部２の内周面２１の側面側及び隔壁部３の外周面３１の側面側に、嵌合係止部２３、３３、本実施例においては、外枠部２に凹形状の嵌合係止部２３、隔壁部３に凸形状の嵌合係止部３３を、それぞれ設けるようにしている。
これにより、隔壁部３を外枠部２に強固に固定することができるとともに、挟持部３４ａ、３４ｂを持って挟持力を加えることによって隔壁部３の外側部分を内側に向けて変形させることで嵌合係止部２３、３３の係止状態を解除することで、隔壁部３の着脱を容易に行うことができる。
【００３４】
外枠部２の内周面２１及び隔壁部３の外周面３１には、段部２１ａ、３１ａを形成することで、外枠部２と隔壁部３の隙間がラビリンス状となり、気密性を向上することができるようにしている。
そして、隔壁部３の外周面３１の後面側をテーパ面３１ｂで構成するとともに、テーパ面３１ｂの溝３２が開口する部位に膨出部３１ｃを形成し、外枠部２の内周面２１の後面側に、この膨出部３１ｃが嵌まり込む窪み部２１ｃを形成するようにしている。
これにより、隔壁部３の着脱を容易に行うことができるようにしながら、テーパ面３１ｂの溝３２が開口する部位の外枠部２と隔壁部３の隙間もラビリンス状となり、気密性を向上することができる。
【００３５】
また、外枠部２の外周面に、打設した基礎コンクリートが入り込む凹部２２を形成するようにすることにより、基礎を構築する際に基礎点検口用部材１の外枠部２が基礎と確実に一体となるように設置することができる。
【００３６】
この基礎点検口用部材１は、従来の基礎点検口用部材と同様、基礎を構築する際に基礎と一体となるように、より具体的には、布基礎を構築する際に屋内側の布基礎と一体となるように設置される。
そして、床下の点検作業を行う場合は、隔壁部３の挟持部３４ａ、３４ｂを持って隔壁部３を変形させることで隔壁部３の外枠部２に対する嵌合状態を弛めることで、隔壁部３を外枠部２から外すことによって、外枠部２の開口で構成される点検口部を形成することで、基礎点検口用部材１の背面側の床下、例えば、ユニットバス等を用いた浴室の床下での作業を行うことができる。
さらに、床下の点検作業を行った後、隔壁部３を外枠部２に嵌め込むことによって、外枠部２の開口で構成される点検口部の気密状態、すなわち、基礎点検口用部材１の前面側と背面側の気密状態を維持するようにすることができる。
【００３７】
以上、本発明の基礎点検口用部材について、その実施例に基づいて説明したが、本発明は上記実施例に記載した構成に限定されるものではなく、その趣旨を逸脱しない範囲において適宜その構成を変更することができるものである。
【産業上の利用可能性】
【００３８】
本発明の基礎点検口用部材は、基礎点検口用部材を２つの部材で構成した場合に、気密性を確保しながら、取り扱い易いという、また、基礎点検口用部材を単一の部材で構成することによって、取り扱い易く、布基礎を構築する際の作業性のよいという特性を有していることから、基礎を構築する際に基礎と一体となるように設置される基礎点検口用部材、例えば、断熱基礎点検口用部材の用途に好適に用いることができる。
【符号の説明】
【００３９】
１  基礎点検口用部材
２  外枠部
２１  内周面
２１ａ  段部
２１ｃ  窪み部
２２  凹部
２３  嵌合係止部
３  隔壁部
３１  外周面
３１ａ  段部
３１ｂ  テーパ面
３１ｃ  膨出部
３２  溝
３３  嵌合係止部
３４ａ  挟持部
３４ｂ  挟持部
４  易破断部
４１  隙間
４２  隙間
【図１】
2019094757.tif 000003
【図２】
2019094757.tif 000004
【図３】
2019094757.tif 000005
【図４】
2019094757.tif 000006
【図５】
2019094757.tif 000007
【図６】
2019094757.tif 000008
【図７】
2019094757.tif 000009
【図８】
2019094757.tif 000010
【図９】
2019094757.tif 000011
【図１０】
2019094757.tif 000012
【図１１】
2019094757.tif 000013